(57)【要約】【課題】キック時における水の抵抗を低減することができるとともに、省力効果の高いダイビング用フィンを提供すること。【解決手段】縦長のブレード部１０の中ほどの位置に、横向きの、第一溝Ａ１があって、両側には、それぞれ、縦に、第二溝Ａ２、第三溝Ａ３があり、その第二溝Ａ２と第三溝Ａ３は両側のサイドリブ１０１の縁に沿って設けられていて、それぞれ、一端がフットポケット部１１の両側まで伸びていて、もう一方は、第一溝Ａ２の両側につながっていて、略コ字型の貫通した区分溝Ａを形成し、ブレード部１０が固定部である第一ブレード１０２１と可動部である第二ブレード１０２２とに隔てられていることを特徴としている。【選択図】　　図１
2004065825.tif 000002
【特許請求の範囲】
【請求項１】
ブレード部の中ほどの位置に、横向きの、貫通した第一溝があって、両側には、それぞれ、縦に、貫通した第二溝、第三溝があり、その第二溝と第三溝は両側のサイドリブの縁に沿って設けられていて、それぞれ、一端がフットポケット部の両側まで伸びていて、もう一方は、第一溝の両側につながっていて、略コ字型の貫通した溝を形成し、ブレード部が固定した第一ブレードと第二ブレードとに隔てられていることを特徴とする、ダイビング用フィン。
【請求項２】
第二ブレードの両側に縦向きに、それぞれ、補強リブが設けられていることを特徴とする、請求項１に記載のダイビング用フィン。
【請求項３】
第二ブレード両側の溝がフットポケット部の両側の位置につながっていて、それぞれ、間隔をおいた状態で、数個の横向きの突起リブが設けられて、両側のサイドリブに接続されていることを特徴とする、請求項１または請求項２に記載のダイビング用フィン。
【請求項４】
フットポケット部両側にある数個の横向きの突起リブが、必要に応じて、それぞれ、第二溝、第三溝の所で切断して、キック力を調整できることを特徴とする、請求項３に記載のダイビング用フィン。
【発明の詳細な説明】
【０００１】
【発明の属する技術分野】
本発明は、ダイビング用フィンに関し、特に、ブレード部が二つに区分されているダイビング用フィンに関する。
【０００２】
【従来の技術】
図８は、従来技術のダイビング用フィン（以下、便宜上、単に「フィン」と称する）９０である。このフィン９０は、ブレード部９１と、フットポケット部９２とによって構成されている。ブレード部９１は、両側のサイドリブ９１１とその間の単一のブレード片９１２とからなっている。ダイバーが両足を交互に動かすと（各足を前に曲げたり、後ろに伸ばしたりすると）、二つのサイドリブ９１１により支持されるブレード片９１２が水をかき、ダイバーが潜水することができるようになっている。従来の単一のブレード片９１２によって水をかく方式のフィンが、潜水効果をもたらし、現在、多くのダイバーが採用していることは否定できない事実である。
【０００３】
【発明が解決しようとする課題】
しかしながら、従来のダイビング用フィンには、いくつかの欠点もあり、改善の必要性が認められる。その欠点を以下に示す。
１、ブレード片９１２が水をかく時、水の抵抗によって変形しないようにしているために、推進力が生じないことがある。ブレード片９１２を支える二つのサイドリブ９１１は比較的硬質ものでなければならならず、このため、ダイバーの両足が後ろにキックすると、ブレード部９１の活動範囲は大部分傾斜状態で、二つのサイドリブ９１１と一体成型で、固定形式の縦に長いブレード片９１２は、硬質のサイドリブ９１１と共に、傾斜した状態で成型される。そして、この傾斜角度でキックする。しかし、ブレード片９１２が最も効果的にキックすることができる角度は、ダイバーの潜水する方向に対して垂直の方向であることは周知の事実である。故に、ブレード片９１２が随時傾斜した角度でキックするという状況下において、その反発力（推進力）は必然的にダイバーのキック力に相応したものではなく、明らかに、キックの効果はよくない。
２、上述のように、ブレード部９１が傾斜状態の時、ブレード片９１２はそれに伴なって傾斜した角度でキックすることになり、キック力に相応した反発力（推進力）を提供することができない。故に、潜水速度を維持するため、ダイバーはキックの頻度をアップさせなければならない。これは、体力の浪費であり、結果としてダイバーを疲れさせることになる。
３、面状の縦に長いブレード片９１２は、硬質のサイドリブ９１１と一体成型で、固定した形態で成型される。故に、ダイバーが両足を前に曲げて、キックの動作に入る時、前や上に動かす面状のブレード片９１２は必然的に比較的大きな水の抵抗を受けることになる。このことは、ダイバーにとって、明らかに、体力を使うことであり、効果的に速度をアップすることができない。
４、二つのサイドリブ９１１は比較的硬い材質からできているので、両足がキックする時においても、単一の大きな面積のブレード片９１２を支えることができる。しかし、硬質のサイドリブ９１１は明らかにブレード部９１の柔軟度に影響する。そして、キック動作や機敏さに影響し、思うようなダイビングができないという状況が発生する。
そこで、案出されたのが本発明であって、本発明は、キック時における水の抵抗を低減することができるとともに、省力効果の高いダイビング用フィンを提供することを目的としている。
【０００４】
【課題を解決するための手段】
この目的を達成するために請求項１記載のダイビング用フィンは、縦長のブレード部の中ほどの位置に、横向きの、貫通した第一溝があって、両側には、それぞれ、縦に、貫通した第二溝、第三溝があり、その第二溝と第三溝は両側のサイドリブの縁に沿って設けられていて、それぞれ、一端がフットポケット部の両側まで伸びていて、もう一方は、第一溝の両側につながっていて、略コ字型の貫通した溝を形成し、ブレード部が固定した第一ブレードと第二ブレードとに隔てられている。
請求項２記載のダイビング用フィンは、請求項１記載のダイビング用フィンにおいて、第二ブレードの両側に縦向きに、それぞれ、補強リブが設けられている。
請求項３記載のダイビング用フィンは、請求項１または請求項２に記載のダイビング用フィンにおいて、第二ブレード両側の溝がフットポケット部の両側の位置につながっていて、それぞれ、間隔をおいた状態で、数個の横向きの突起リブが設けられて、両側のサイドリブに接続されている。
請求項４記載のダイビング用フィンは、請求項３記載のダイビング用フィンにおいて、フットポケット部両側にある数個の横向きの突起リブが、必要に応じて、それぞれ、第二溝、第三溝の所で切断して、キック力を調整できるものである。
本発明のダイビング用フィンは、フィンのブレード部の中ほどの位置に、別にもう一つ振れる第二ブレードが設けてある。ダイビングの際に、両足を後ろや下にキックする（蹴る）と、この第二ブレードが水の抵抗を受けて、自動的に足の動きと反対の方向に動く。そして、ほぼ垂直の角度でブレード前部の固定状の第一ブレードと共に水をかく。さらに、両足が水をキックする際に、最大の反発力（推進力）を生み出すだけでなく、潜水速度もアップする。同時に、キックの頻度を押さえることができるので、ダイバーが疲れない。また、ダイバーがキックする前に、両足を前や上に動かすと、足の動きと反対の方向に動く第二ブレードが、足の曲がり（前屈）に応じて動き、前述の水をかく動作を行なうか、自然に、水の誘導口によって水流を通過させ、水の抵抗を押さえることにより実質的な省力効果を生み出す。
【０００５】
【発明の実施の形態】
以下、添付図面を参照して、本発明の好ましい実施例について説明する。勿論、下記実施例は、本発明の好ましい実施例を示したに過ぎないから、本発明の技術的範囲は、下記実施例に何ら限定されるものではない。
図１、図２及び図３に示すように、本発明のダイビング用フィン（以下、便宜上、単に「フィン」と称する）１のブレード部１０は、板状に形成されたブレード片１０２とその両側に配設されたサイドリブ１０１からなる、シンプルな構造である。長い形のブレード片１０２のほぼ中ほどに、横向き（幅方向）の、貫通した第一溝Ａ１がある。そして、両側に、それぞれ、縦向きの第二溝Ａ２と第三溝Ａ３がある。第二、第三溝Ａ２、Ａ３は、サイドリブ１０１の縁に沿って設けられている。そして、その一端はフットポケット部１１の両側まで伸びている。もう一方の端は、第一溝Ａ１の両側とつながっていて、略コ字型の区分溝Ａを形成している。この区分溝Ａにより、ブレード片１０２が、先端側に位置する固定部（サイドリブ１０１により固定されている）である第一ブレード片１０２１と、フットポケット１１側に位置する可動部である第二ブレード片１０２２とに区分されている。そのうち、第二ブレード片１０２２の両側には、縦向き（長手方向）に、それぞれ補強リブ１０２２１が設けられている。
図４及び図５に示すように、第二ブレード片１０２２の両側は、サイドリブ１０１の縁に沿って設けられた縦向きの、貫通した、第二溝Ａ２、第三溝Ａ３がフットポケット部１１の両側につながっているだけでなく、それぞれ、間隔を置いた形で、数本の横向きの突起リブＢがサイドリブ１０１に接続している。
図６に示すように、ダイバーの両足が後ろや下にキックすると、ゴム材質による弾力作用のある第二ブレード片１０２２が振れる。さらに、水の抵抗を受けて、自動的に足の動きと反対の方向に動く。そして、随時、垂直に近い状態で、固定式の第一ブレード片１０２１と共に水をかく。このように、第一、第二ブレード片１０２１、１０２２は随時、垂直状態で、それぞれ、最大の面積で水をかくことになる。この時、生じた推進力必然的に大きくなる。言いかえれば、第二ブレード片１０２２は、キック動作をする際、自動的に足の動きと反対の方向に動き、第二ブレード片１０２２自身の弾力性によって、垂直に近い状態の最大の面積で、第一ブレード片１０２１と共に水をかくので、従来のブレードが小さな面積で水を受けて、傾斜した状態で水をかくのとは異なっている。したがって、ダイバーが両足でキックすると、必然的に、従来のフィンよりさらに大きな反発力（推進力）となって、水をかく効率が高くなるのである。水をかく効率がアップするということは、当然、ダイバーがキックする頻度を下げ、結果として、無駄な体力を使うことなく、疲労度も最低限に押さえられる。
また、ダイバーが、キックしようとする時の準備動作として、両足を前や上に曲げると、第二ブレード片１０２２が水の抵抗を受けて、自動的に足の動きと反対の方向に振れ、水の誘導口Ｇを形成し、水を通過させる。したがって、従来のように、縦に長いブレードが直接水の抵抗を受けるのではなく、その水の抵抗力が効果的に小さくなり、ダイバーが両足を前に曲げる動作をする時、必然的に、力の節約ができ、楽にキック動作を行うことができる。
図７に示すように、ダイバーが両足を後ろに伸ばした状態から、徐々に上や前に曲げてキックの動作に入ると、水の抵抗を受けて足の動きと反対の方向に動く第二ブレード片１０２２は、前述の水の誘導口Ｇを形成する以外に、前述の両足がキック動作をするのと同じように、足が徐々に前に曲がる動作の中で、第二ブレード自身の弾力作用が組み合わさって、自動的に垂直に近い状態で、第一ブレード片１０２１と共に水をかく。そして、足が伸びた状態であればあるほど、動きは大きくなり、水をかく面積及び推進力も大きくなる。そして、足が曲がった状態であればあるほど、その動きの幅は小さくなり、水をかく面積及び推進力もまた小さくなる。当然、足が曲がった状態であれば、第二ブレード片１０２２と固定式の第一ブレード片１０２１が水をかく推進力も小さくなる。何らキック動作を行なわない時、足の動きと反対方向に動く第二ブレード片１０２２は水の誘導口Ｇを形成して、直接、水を通過させて、水の抵抗を少なくする。したがって、実質上、足の前屈動作に負担をかけることはない。逆に、足を後ろに伸ばす動作を助けて、後ろに伸ばしてキックする時に生じる推進力が消されることはない。したがって、確実に、効果的に水をかき、省力作用があり、楽に、且つ、安全にダイビング行なえる。
言い換えれば、上述の、ダイバーが両足を上、あるいは、前に曲げてキックの動作にはいるかどうか、あるいは、下、あるいは、後ろに伸ばしてキック動作を行なうかどうかにかかわらず、弾力性があり、動くことのできる第二ブレード片１０２２は随時、固定式の第一ブレード片１０２１と共に、推進力を発揮し、両足が前屈してキック動作を行なわない曲がった状態の時でも、自然に水の誘導口Ｇを形成して水を通過させる。そして、水の抵抗を低くする作用があるのは明らかである。推進力が発生し、水の抵抗が少なくなるという二重の作用は、交互に作用して、生じた推進力は、途切れることがなく持続する（連続性）だけでなく、同時に、大幅にアップする（少なくとも、推進力は従来のタイプより７０％多い）。したがって、確実に、効果的に水をかき、予想通りの機能を果たす。当然、ダイビングの際の力が節約でき、楽にキック動作を行うことができ、安全であることは明確である。
また、その第二ブレード片１０２２の両側には、縦向きに、それぞれ補強リブ１０２２１が設けられていて、ダイバーが両足を前に曲げたり、後ろに伸ばしたりして、第二ブレード片１０２２が水を切る時、その第二ブレード片１０２２自身の弾力作用が、二つの補強リブ１０２２１と共に、水の抵抗をうまく利用して、さらに、固定式の第一ブレード片１０２１のコンビネーションにより、より効果的な推進力を発揮する。
上述のように、第二ブレード片１０２２の両側は、それぞれ、間隔をおいた状態で、横向きの突起リブＢがサイドリブ１０１に接続している。故に、ダイバーのキック力にかかわらず（大人、子供、男女の別によって、キック力は異なる）、自分の体力に応じて、適宜ナイフ等の切断器具Ｃで、第二溝Ａ２、第三溝Ａ３のところで、横向きの突起リブＢに向かって切開（図４及び図５参照）することができる。切断する横向きの突起リブＢの個数が多ければ多いほど（切開する長さが長いほど）、第二溝、第三溝Ａ２、Ａ３の長さが長くなり、第二ブレード片１０２２の振れる部分の長さが長くなって、動く部分のゴムの弾力性が弱くなるので、脚力の弱いダイバーがキックする時、確実に体力を節約することが可能である。逆に、切断される横向きの突起リブＢの数が少なければ少ないほど、または、切断されない場合は、振れる第二ブレード片１０２２の長さとゴムの弾力性は、変化が少なく、もとの設計の意図や効果を変えることがないので、脚力が強く、体力のあるダイバーが使用するのに適している。省力性、並びに、速度面では、上述の通り、極めて優れた効果を発揮する。
ただ、上述のように、横向きの突起リブＢが切断されると、第二ブレード片１０２２が長くなり、柔軟度が増すので、潜水速度に多少影響を及ぼし、若干速度が落ちることになる。しかしながら、これは、横向きの突起リブＢを設置した本來の目的である。潜水の速度の遅い早いは、ダイバーの唯一の目的ではない。ダイビングの安全性、娯楽性、そして、任務を達成するために、体力を持続させること等が、ダイバーにとってもっと重要である。本発明の横向きの突起リブＢを設置し、切断することによって、ダイバーのキック力を適宜調節できるようにしたことは、それぞれのダイバーのニーズに応じて、選択の範囲を広げ、多様化させる目的によるものである。
また、フィン１は、ブレード部１０２に、第一ブレード片１０２１、及びその第一ブレード片１０２１とは別に振れる第二ブレード片１０２２とによって構成されているので、両足を後ろに伸ばすときに、ブレード部１０により優れた水かき効果を発揮する。同時に、両足を前に曲げた時、効果的に水をかいて推進力を生じさせ、水の抵抗を低くするという二重の効果がある。したがって、ブレード部１０２の両側にあるサイドリブ１０１は、比較的柔らかい材質でも、変わることなく、支えの力は減少することがない。これは、サイドリブ１０１及びブレード部１０２に続くフットポケット部１１の柔軟性を増し、まさに魚の尾ひれのように自在に動かすことが可能である。したがって、ダイビングの際の動作がより機敏性を増し、自然な動作をすることが可能になって、より効果的なダイビングが楽しめる。
以上　実施例に基づき本発明を説明したが、上記実施例は、本発明の主旨を逸脱しない範囲内で種々の改良変形が可能であり、本発明の技術的範囲には、それらの種々の改良変形をも含まれる。
なお、本発明には、以下の発明が含まれる。
フットポケット部と、ブレード部とを備えたダイビング用フィンにおいて、ブレード部は、板状に形成されたブレード片と、そのブレード片の両側に配設されて前記ブレード片を支持するサイドリブとによって構成されており、前記ブレード部には、前記ブレード片を先端側の第一ブレード片とフットポケット側の第二ブレード片とに区分する区分溝が設けられており、その区分溝は、前記ブレード片の中間部に幅方向（横向き）に沿って設けられる第一溝と、前記第一ブレード片と前記サイドリブとの間に夫々設けられ前記第一溝につながる第二溝及び第三溝とによって構成されていることを特徴とする、ダイビング用フィン（Ａ）。
ダイビング用フィン（Ａ）において、第二ブレードの両側に沿って設けられた補強リブを備えていることを特徴とする、ダイビング用フィン（Ｂ）。
ダイビング用フィン（Ａ）又は（Ｂ）において、第二溝及び第三溝の形成箇所には、夫々第二ブレード片とサイドリブとを接続する突起リブが形成されており、その突起リブが切断されることにより、第一ブレード片の可動領域が拡大可能とされていることを特徴とするダイビング用フィン（Ｃ）。
【０００６】
【発明の効果】
本発明のダイビング用フィンは、フィンのブレード部の中ほどの位置に、別にもう一つ振れる第二ブレードが設けてある。ダイビングの際に、両足を後ろや下にキックすると、この第二ブレードが水の抵抗を受けて、自動的に足の動きと反対の方向に動く。そして、ほぼ垂直の角度でブレード前部の固定状の第一ブレードと共に水をかく。さらに、両足が水をキックする際に、最大の反発力（推進力）を生み出すだけでなく、潜水速度もアップする。同時に、キックの頻度を押さえることができるので、ダイバーが疲れない。
また、本発明のダイビング用フィンの第二ブレードは、ダイバーがキックする前に、両足を前や上に動かすと、足の動きと反対の方向に動く第二ブレードが、足の曲がり（前屈）に応じて動き、前述の水をかく動作を行なうか、自然に、水の誘導口によって水流を通過させ、水の抵抗を押さえることにより実質的な省力効果を生み出す。
さらに、本発明のダイビング用フィンの第二ブレードは、両足を後ろに伸ばすか、前に曲げる際に、足と反対の方向に動き、第一ブレードと共に、最も効果的に水をかくようになっている。そして、前屈した足がキック動作を行なわない時、自然に、水の誘導口によって水流を通過させ、水の抵抗を押さえることにより、ブレード部両側のサイドリブを比較的柔らかい材質にすることができるので、ダイビング用フィンのブレード部の柔軟度が増し、キック動作が機敏になり、効果も上がる。
その上、本発明のダイビング用フィンは、構造が簡単で、製作及び使用法もシンプルで便利である。したがって、ダイバーがキックする際、省力効果が高い。そして、速度もアップするので効率のよいダイビングが可能である。したがって、本発明のダイビング用フィンは実用性に優れ、斬新、且つ、理想的なダイビング用フィンである。
【図面の簡単な説明】
【図１】本発明のダイビング用フィンの立体見取り図である。
【図２】本発明のダイビング用フィンを上から見た図である。
【図３】本発明のダイビング用フィンの側面図である。
【図４】本発明のダイビング用フィンの第二ブレードとサイドリブの、横向き突起リブと接続した部分の拡大図である。
【図５】図４の平面図である。
【図６】本発明のダイビング用フィンの実施例図である。
【図７】図６を別の角度から見た見取り図である。
【図８】従来技術のダイビング用フィンの構造、及び、操作の立体見取り図である。
【符号の説明】
Ａ　　　　区分溝
Ａ１　　　第一溝
Ａ２　　　第二溝
Ａ３　　　第三溝
Ｂ　　　　突起リブ
Ｃ　　　　切断器具
Ｇ　　　　誘導口
１　　　　フィン
１０　　　ブレード部
１０１　　サイドリブ
１０２　　ブレード片
１０２１　第一ブレード片
１０２２　第二ブレード片
１１　　　フットポケット部
【図１】
2004065825.tif 000003
【図２】
2004065825.tif 000004
【図３】
2004065825.tif 000005
【図４】
2004065825.tif 000006
【図５】
2004065825.tif 000007
【図６】
2004065825.tif 000008
【図７】
2004065825.tif 000009
【図８】
2004065825.tif 000010